(57)【要約】【課題】タイルマットなどの被乾燥物を少ないスペースで効率よく乾燥させることができる乾燥棚を提供すること。【解決手段】水平方向に所定長さを有して互いに平行に並ぶ一対の支持部材２と、一対の支持部材２の上方に位置し、これら一対の支持部材２の延びる方向に沿って所定の間隔を隔てて配置された複数の仕切り部材３と、一対の支持部材２の下方に配置された水受け部材４と、を備えることを特徴としている。【選択図】  図１
2006145160.tif 000002
【特許請求の範囲】
【請求項１】
水平方向に所定長さを有して互いに平行に並ぶ第１および第２の支持部材と、
上記第１および第２の支持部材の上方に位置し、これら第１および第２の支持部材の延びる方向に沿って所定の間隔を隔てて配置された複数の仕切り部材と、
上記第１および第２の支持部材の下方に配置された水受け部材と、を備えることを特徴とする、乾燥棚。
【請求項２】
上記第１および第２の支持部材は、それぞれ所定幅の平面的な支持面を備えており、これらの支持面は、それぞれ水平に対して対向方向に４５度傾斜させられ、互いに９０度の角度をなしている、請求項１に記載の乾燥棚。
【請求項３】
上記第１および第２の支持部材は、それぞれ少なくとも１本の棒状部材によって形成されている、請求項１に記載の乾燥棚。
【請求項４】
上記第１および第２の支持部材、並びに上記複数の仕切り部材は、フレームに支持されている、請求項１ないし３のいずれかに記載の乾燥棚。
【請求項５】
上記各仕切り部材は、棒状部材を折曲成形して形成されている、請求項４に記載の乾燥棚。
【請求項６】
上記各仕切り部材は、一対の棒状部を備え、この一対の棒状部は、その各下端部がそれぞれ上記第１および第２の支持部材の外側において上記フレームの適部に連結され、上方に向かうほど互いに近接させられるように折曲されて各上端部が上記フレームの適部に連結されている、請求項５に記載の乾燥棚。
【発明の詳細な説明】
【技術分野】
【０００１】
本発明は、タイルマットなどの矩形状の被乾燥物を乾燥させるために使用される乾燥棚に関する。
【背景技術】
【０００２】
ビルや店舗の玄関先などに敷いて用いられるマットの一例として、一定寸法の矩形状を有するいわゆるタイルマットを、ベース上に複数枚敷き詰めるタイプのものがある（たとえば、特許文献１参照）。このようなタイプのマットを用いると、マット全体の寸法が大きい場合でも、このマットを構成するタイルマットごとに分離可能であるため、持ち運びや取り替えなどの際に取り扱いが容易となる。また、マットはその性質上汚れやすく、比較的頻繁に洗濯する必要があるところ、タイルマットを用いれば、各タイルマットごとに分離して洗濯することが可能であり、都合がよい。洗濯後においては、タイルマットをそれぞれ壁に立てかける、あるいは、クリップ等で掴んで吊るすことにより、自然乾燥させていた。
【０００３】
しかしながら、上記のようなタイルマットを用いる場合には、マット全体の寸法が大きくなると、必要なタイルマットの枚数も多くなる。そうすると、洗濯後の乾燥の際に、タイルマットを立てかける、あるいは、吊るすための占有スペースが大きくなるなどの不都合が生じていた。
【０００４】
【特許文献１】実開平５−１４５３号公報
【発明の開示】
【発明が解決しようとする課題】
【０００５】
本発明は、上記した事情のもとで考え出されたものであって、タイルマットなどの被乾燥物を少ないスペースで効率よく乾燥させることができる乾燥棚を提供することを課題としている。
【課題を解決するための手段】
【０００６】
上記課題を解決するため、本発明では、次の技術的手段を講じている。
【０００７】
本発明によって提供される乾燥棚は、水平方向に所定長さを有して互いに平行に並ぶ第１および第２の支持部材と、上記第１および第２の支持部材の上方に位置し、これら第１および第２の支持部材の延びる方向に沿って所定の間隔を隔てて配置された複数の仕切り部材と、上記第１および第２の支持部材の下方に配置された水受け部材と、を備えることを特徴とする。
【０００８】
このような構成の乾燥棚を用いれば、たとえばタイルマットなどの被乾燥物は、第１および第２の支持部材に支持された状態で、互いに隣接する仕切り部材の間に効率よく並べられることが可能となる。したがって、多数の被乾燥物を同時に場所をとることなく少ないスペースで乾燥させることができる。また、第１および第２の支持部材の下方に水受け部材が配置されているので、被乾燥物を乾燥させる際に、被乾燥物に付着した水を確実に回収することができ、床面が濡れるといった不都合が生じることもない。
【０００９】
本発明の好ましい実施の形態においては、上記第１および第２の支持部材は、それぞれ所定幅の平面的な支持面を備えており、これらの支持面は、それぞれ水平に対して対向方向に４５度傾斜させられ、互いに９０度の角度をなしている。
【００１０】
このような構成によれば、矩形状の被乾燥物を乾燥させる場合には、この被乾燥物は、菱形となるように、すなわち対角線が垂直方向に向くように一定の姿勢で支持されることとなる。したがって、被乾燥物が矩形状のタイルマットであり、かつ、そのタイルマットの対向する２辺と平行な方向に延びるように列状にタフトが形成されている場合、タイルマットは、タフトの列が常に下方に傾斜する状態で支持されるので、タフトに付着している水が下方に流れやすくなり、タイルマットを効率よく乾燥させるうえで好適である。また、矩形状の被乾燥物を乾燥させる際に、被乾燥物に付着した水は、菱形の姿勢とされた被乾燥物の周縁ないし第１および第２の支持部材の支持面を伝って下方に流れ、被乾燥物の下端部から落下する。ここで、被乾燥物の下端部は、第１および第２の支持部材の対向方向における中央に位置することになるため、水受け部材の小型化を図ることができる。
【００１１】
本発明の好ましい実施の形態においては、上記第１および第２の支持部材は、それぞれ少なくとも１本の棒状部材によって形成されている。
【００１２】
このような構成によれば、被乾燥物と支持部材との接触面積を小さくすることができるので、被乾燥物を乾燥させるうえで好都合である。
【００１３】
本発明の好ましい実施の形態においては、上記第１および第２の支持部材、並びに上記複数の仕切り部材は、フレームに支持されている。
【００１４】
このような構成によれば、乾燥棚は、全体としての剛性が大きくなるので、持ち運びの際に取り扱い易いものとなり、使い勝手が良好となる。
【００１５】
本発明の好ましい実施の形態においては、上記各仕切り部材は、棒状部材を折曲成形して形成されている。
【００１６】
このような構成によれば、被乾燥物に対する風通しがよくなるので、被乾燥物を効率よく乾燥させるうえで好ましいものとなる。
【００１７】
本発明の好ましい実施の形態においては、上記各仕切り部材は、一対の棒状部を備え、この一対の棒状部は、その各下端部がそれぞれ上記第１および第２の支持部材の外側において上記フレームの適部に連結され、上方に向かうほど互いに近接させられるように折曲されて各上端部が上記フレームの適部に連結されている。
【００１８】
このような構成によれば、仕切り部材を挟んで隣りどうしに位置する被乾燥物においては、その上端部どうしが接触することが適切に防止され、被乾燥物を効率よく乾燥させるうえでより好ましいものとなる。
【００１９】
本発明のその他の特徴および利点については、以下に行なう発明の実施の形態の説明から、より明らかになるであろう。
【発明を実施するための最良の形態】
【００２０】
本発明の好ましい実施の形態について、図面を参照しつつ具体的に説明する。
【００２１】
図１〜図４は、本発明に係る乾燥棚の一例を示している。本実施形態の乾燥棚Ａは、フレーム１、一対の支持部材２、複数の仕切り部材３、および水受け部材４を備えている。
【００２２】
フレーム１は、一対の支持部材２、複数の仕切り部材３、および水受け部材４を一体的に支持するためのものであり、たとえばステンレス製の角パイプなどを用いて構成されている。フレーム１は、所定の間隔を隔てるように配置された一対の門型状の側部フレーム１１と、この一対の側部フレーム１１の中間部に連結される長矩形枠状の中間部フレーム１２と、一対の側部フレーム１１の上部に連結される棒状の上部フレーム１３とを備え、これら各部フレーム１１，１２，１３が溶接やボルト締めなどの適宜手段によって一体的に連結されることにより、所定の剛性を有するものとされている。より詳細には、中間部フレーム１２は、乾燥棚Ａの短手方向Ｙ１，Ｙ２に沿う一対の枠部１２Ａと、乾燥棚Ａの長手方向Ｘ１，Ｘ２に沿う一対の枠部１２Ｂとから構成されており、各枠部１２Ａの両端は側部フレーム１１に連結され、各枠部１２Ｂの両端は枠部１２Ａの端部近傍に連結されている。なお、側部フレーム１１の下端には、キャスター６が取付けられている。
【００２３】
図２および図４に表われているように、一対の枠部１２Ｂには、上下方向に貫通する複数の貫通孔１２ｃが長手方向Ｘ１，Ｘ２に一定の間隔を隔てて形成されている。また、上部フレーム１３の上面には、短手方向Ｙ１，Ｙ２に沿う複数の溝部１３ａが長手方向Ｘ１，Ｘ２に一定の間隔を隔てて形成されている。
【００２４】
一対の支持部材２は、たとえば矩形状のステンレス鋼板などを折曲して形成されたものであり、図１および図３に表われているように、取付け部２１と、この取付け部２１に対して略１３５度の角度をなす支持面２２と、水受け部材４を支持するための屈曲部２３とから構成されている。支持面２２は、枠部１２Ｂの長手方向Ｘ１，Ｘ２の全長に略対応した所定の長さと、所定の幅を有している。一対の支持部材２は、取付け部２１が枠部１２Ｂ上に溶接やボルト締めなどの適宜手段で固定されることにより、両支持面２２がそれぞれ水平に対して対向方向に略４５度傾斜させられ、かつ、互いに略９０度の角度で上方に開角するように、フレーム１に支持されている。
【００２５】
図２〜図４に表われているように、複数の仕切り部材３は、枠部１２Ｂ上において垂直方向に起立する姿勢で設けられ、長手方向Ｘ１，Ｘ２に沿って一定の間隔を隔てて配置されている。各仕切り部材３は、たとえばステンレス製の棒状部材を折曲することにより一体形成されたものであり、短手方向Ｙ１，Ｙ２において左右対称な一対の棒状部３１を有するように構成されている。一対の棒状部３１は、それぞれ中間に水平部が設けられ、上方に向かうほど互いに近接させられるように折曲成形されている。各仕切り部材３は、各棒状部３１の下端部３１ａが枠部１２Ｂの貫通孔１２ｃに挿入されるとともに、各棒状部３１の上端部３１ｂが上部フレーム１３の溝部１３ａに嵌入された状態で、上部フレーム１３上にカバー部材５を被せ、このカバー部材５を上部フレーム１３に固定することにより、フレーム１に対して連結されている。
【００２６】
水受け部材４は、たとえばステンレス鋼板などを折曲して形成されたものであり、上方が開口する略直方体の容器状とされている。水受け部材４の長手方向Ｘ１，Ｘ２に沿う一対の側面４１には、その上端が内側に折曲された係合片４１ａが設けられており、この係合片４１ａは、支持部材２の屈曲部２３に係合している。これにより、水受け部材４は、一対の支持部材２に支持されている。水受け部材４の底面部４２は、長手方向Ｘ１，Ｘ２の一方に向けて傾斜しており、底面部４２の最下部近傍には、排水口４３が設けられている。
【００２７】
次に、上記構成の乾燥棚Ａの使用方法について図５および図６を参照して説明する。
【００２８】
この乾燥棚Ａを使用するにあたり、被乾燥物としては種々のものが適用可能であるが、ここでは、被乾燥物が複数の正方形のタイルマットである場合を一例に挙げて説明する。タイルマットＴは、たとえば熱硬化樹脂製のシート状の基材Ｔ１の表面にタフトを形成した構成とされている。タフトは、タイルマットＴの対向する２辺と平行な方向に延びるように列状（図６においては模式的に点線で表わされている）に形成されている。
【００２９】
まず、複数のタイルマットを分離したうえで洗剤などを用いて洗濯し、その後、水洗いする。次に、乾燥棚Ａを用いてタイルマットＴを乾燥させる。図５に表われているように、複数のタイルマットＴは、乾燥棚Ａの互いに隣接する仕切り部材３の間へそれぞれ通されることにより、一対の支持部材２上に起立した状態で支持される。そして、このままの状態で放置することにより、タイルマットＴは、自然乾燥される。このように、乾燥棚Ａを用いれば、被乾燥物は、起立姿勢で互いに隣接する仕切り部材３の間に効率よく並べられることが可能となる。したがって、多数の被乾燥部を同時に場所をとることなく少ないスペースで乾燥させることができる。なお、タイルマットを乾燥させる場合には、互いに隣接する仕切り部材３間に、２枚のタイルマットＴをその基材Ｔ１の裏面どうしが互いに対向するように並べることが可能であり、同時により多くの被乾燥物を乾燥させることができる。
【００３０】
ところで、タイルマットＴを起立させた場合、タイルマットＴの表面やタフトに付着している水は、タフトの列に沿う方向には流れやすく、タフトの列と直交する方向には流れにくくなる。本実施形態では、一対の支持部材２の支持面２２は、それぞれ水平に対して対向方向に４５度傾斜させられているため、図６に表われているように、タイルマットＴは、側面視において菱形となるように、すなわち対角線が垂直方向に向くように一定の姿勢で支持されることとなる。このとき、タフトの列は、右下がりあるいは左下がりのいずれかの状態となる。このように、タイルマットＴは、タフトの列が常に下方に傾斜する状態で支持されるので、タフトに付着している水が下方に流れやすくなり、タイルマットＴを効率よく乾燥させるうえで好適である。
【００３１】
本実施形態において、一対の支持部材２、および複数の仕切り部材３は、フレーム１に支持されているので、乾燥棚Ａは、全体としての剛性が大きくなる。したがって、乾燥棚Ａは、持ち運びの際に取り扱い易いものとなり、使い勝手が良好となる。なお、本実施形態における乾燥棚Ａは、キャスター６が取付けられているので、持ち運びに便利である。
【００３２】
本実施形態において、各仕切り部材３は、棒状部材を折曲成形して形成されたものであるので、被乾燥物に対する風通しが良好となる。したがって、乾燥時間を短縮することができ、被乾燥物を効率よく乾燥させるうえで好ましいものとなる。また、このように仕切り部材３が棒状部材で構成されていると、乾燥棚Ａの軽量化を図るうえでも好ましいものとなる。
【００３３】
さらに、各仕切り部材３は、一対の棒状部３１を備え、この一対の棒上部３１は、上方に向かうほど互いに近接されるように形成されている。したがって、仕切り部材３を挟んで隣りどうしに位置する被乾燥物においては、その上端部どうしが接触することが適切に防止され、被乾燥物を効率よく乾燥させるうえでより好ましいものとなる。なお、上述のように、一対の棒状部３１の上方が互いに近接するように形成されていると、被乾燥物を仕切り部材３間に通す、あるいは、仕切り部材３間から取り出す際に、被乾燥物の上部を掴むことにより、作業者の手と仕切り部材３との干渉を回避することができ、作業性が向上する。
【００３４】
本実施形態における乾燥棚Ａは、一対の支持部材２の下方に水受け部４が配置された構成である。このため、矩形状の被乾燥物を乾燥させる際に、被乾燥物に付着した水は、菱形の姿勢とされた被乾燥物の周縁ないし支持面２２を伝って下方に流れ、被乾燥物の下端部から落下することにより水受け部４の内部に確実に回収されることとなる。したがって、被乾燥物を乾燥させる際に、床面が濡れるといった不都合が生じることもない。また、図６に表われているように、被乾燥物の下端部は、一対の支持部材２間の中央に位置することになるため、水受け部材４の短手方向Ｙ１，Ｙ２の寸法を小さくすることができ、水受け部材４の小型化を図ることができる。なお、水受け部４に回収された水は、排水口４３から図示しないホースなどを通じて適当な場所に排出することができる。
【００３５】
図７は、本発明に係る乾燥棚の他の例を示している。なお、同図においては、上記実施形態と同一または類似の要素には、上記実施形態と同一の符号を付しており、その説明を省略する。
【００３６】
図７に示された乾燥棚Ａ’においては、支持部材２Ａ’，２Ｂ’、複数の仕切り部材３’、および水受け部材４’が上記実施形態における乾燥棚Ａと実質的に異なっている。
【００３７】
支持部材２Ａ’，２Ｂ’は、それぞれステンレスパイプなどの２本の棒状部材２４Ａ’，２４Ｂ’によって構成されている。棒状部材２４Ａ’，２４Ｂ’は、乾燥棚Ａ’の長手方向に沿い、かつ互いに略平行となるように配置されており、それぞれその両端がフレーム１の枠部１２Ａに連結されている。両棒状部材２４Ａ’は、それぞれ異なる高さに位置し、互いの中心を結ぶ直線が水平に対して略４５度傾斜するように設けられている。これと同様に、両棒状部材２４Ｂ’は、それぞれ異なる高さに位置し、互いの中心を結ぶ直線が水平に対して略４５度傾斜するように設けられている。そして、したがって、両棒状部材２４Ａ’の中心を結ぶ直線と、両棒状部材２４Ｂ’の中心を結ぶ直線とは、上方に開角するように互いに略９０度の角度をなしている。
【００３８】
仕切り部材３’を構成する一対の棒状部３１’は、それぞれ中間において上方に向かうほど互いに近接させられる傾斜部３１ｃ’が設けられている。
【００３９】
水受け部材４’は、上方が開口する半割円筒形の容器状とされており、長手方向に沿う両端部が折曲成形され、この両端部が枠部１２Ｂに係合することにより、水受け部材はフレーム１に支持されている。
【００４０】
図８は、図７に示された乾燥棚Ａ’を使用し、上記実施形態において用いたものと同様のタイルマットＴを乾燥させる場合を示す図である。同図から理解できるように、本実施形態においては、被乾燥物と支持部材２Ａ’，２Ｂ’との接触面積を小さくすることができるので、被乾燥物を効率よく乾燥させるうえで好ましいものとなる。
【００４１】
なお、本実施形態では、支持部材２Ａ’，２Ｂ’は、それぞれ２本の棒状部材２４Ａ’，２４Ｂ’によって構成されているが、支持部材を構成する棒状部材の本数はこれに限定されるものではない。すなわち、支持部材は、それぞれ１本、あるいは３本以上の棒状部材で構成されたものであってもよい。
【００４２】
以上、本発明の具体的な実施形態を説明したが、本発明はこれに限定されるものではなく、発明の思想から逸脱しない範囲内で種々な変更が可能である。本発明に係る乾燥棚を構成する各部材の具体的な形状や材質なども上記実施形態の構成に限定されるものではない。
【図面の簡単な説明】
【００４３】
【図１】本発明に係る乾燥棚の一例を示す斜視図である。
【図２】図１に示す乾燥棚の正面図である。
【図３】図１に示す乾燥棚の側面図である。
【図４】図２のIV −IV断面図である。
【図５】図１に示す乾燥棚の使用状態の一例を示す正面図である。
【図６】図１に示す乾燥棚の使用状態の一例を示す側面図である。
【図７】本発明に係る乾燥棚の他の例を示す図４と同様の図である。
【図８】図７に示す乾燥棚の使用状態の一例を示す図である。
【符号の説明】
【００４４】
Ａ，Ａ’            乾燥棚
１                  フレーム
２，２Ａ’，２Ｂ’   支持部材
２２                支持面
２４Ａ’，２４Ｂ’   棒状部材
３，３’            仕切り部材
３１，３１’        棒状部
３１ａ              下端部
３１ｂ              上端部
４，４’            水受け部材
【図１】
2006145160.tif 000003
【図２】
2006145160.tif 000004
【図３】
2006145160.tif 000005
【図４】
2006145160.tif 000006
【図５】
2006145160.tif 000007
【図６】
2006145160.tif 000008
【図７】
2006145160.tif 000009
【図８】
2006145160.tif 000010